(57)【要約】【課題】多くの異なる機種に対応して金型の共通化が図られるばかりか、急きょ増産等の生産計画の変更が生じた場合も、容易に対応でき生産効率が落ちることのないようにした弾球遊技機の樹脂製遊技板を提供する。【解決手段】射出成形により遊技部の所定位置に可変表示装置３や一般入賞口１３等の盤面部品３を取り付けるための開口１７が形成され、異なる機種間における同じ位置の開口であってそれら開口に取り付けられる盤面部品のいずれもが取り付け可能な大きさの開口１７をそれら異なる機種間で共通する基準開口として形成するようにした遊技板本体１と、基準開口に該基準開口の一部を塞ぐようにして取り付けられ、異なる機種間における各盤面部品３を取り付けるに必要な形状の各種の補助板２２と、を有する。【選択図】図２
2013099384.tif 000002
【特許請求の範囲】
【請求項１】
射出成形により遊技部の所定位置に可変表示装置や一般入賞口等の盤面部品を取り付けるための開口が形成され、
異なる機種間における同じ位置の開口であってそれら開口に取り付けられる盤面部品のいずれもが取り付け可能な大きさの開口をそれら異なる機種間で共通する基準開口として形成するようにした遊技板本体と、
前記基準開口に該基準開口の一部を塞ぐようにして取り付けられ、前記異なる機種間における各盤面部品を取り付けるに必要な形状の各種の補助板と、
を有することを特徴とする弾球遊技機の樹脂製遊技板。
【請求項２】
前記基準開口の一部を塞ぐようにして該基準開口に前記補助板を取り付けることにより複数個の開口が形成され、これら開口にそれぞれ盤面部品が取り付けられるようにした請求項１記載の弾球遊技機の樹脂製遊技板。
【請求項３】
前記各機種における盤面部品の取付フランジ部に複数の取付孔を開設すると共に前記遊技板本体の表面であって前記基準開口の外周部に該各取付孔に対応して複数の螺子孔を開設し、これら取付孔と螺子孔とはいずれも異なる機種間で共通した位置に設けられる請求項２記載の弾球遊技機の樹脂製遊技板。
【請求項４】
前記各機種における盤面部品の取付フランジ部の裏面に複数の位置決めボスを突設すると共に前記遊技板本体の表面であって前記基準開口の外周部に該各位置決めボスが嵌合する位置決め孔を開設し、これら位置決めボスと位置決め孔とはいずれも異なる機種間で共通した位置に設けられる請求項３記載の弾球遊技機の樹脂製遊技板。
【発明の詳細な説明】
【技術分野】
【０００１】
本発明は、弾球遊技機に配置される樹脂製遊技板に関するものである。
【背景技術】
【０００２】
従来、例えば弾球遊技機の一種であるパチンコ遊技機は、遊技板の表面に外・内側レールが渦巻き状に敷設され、該外・内側レールで囲まれた遊技部には可変表示装置、入賞装置などの盤面部品が配置されている。また、遊技部の各所には、該遊技部を流下する遊技球の流下経路に変化を与えるための障害釘、風車が植設されている。
【０００３】
近年、遊技板は環境保護の観点や意匠上の観点から、合板に替えて合成樹脂製のものが提案されている。このうち、特に透明な合成樹脂により成形された樹脂製遊技板は、裏側に可変表示装置や各種装飾部材を配置できることから、斬新なデザインを採ることができ興趣が高められるといった利点がある。
【０００４】
ところで、可変表示装置、入賞装置等の盤面部品の大きさ、或いはこれらの形状、配置位置等は各機種毎に異なり、各機種に対応させるため盤面部品を取り付ける樹脂製遊技板の開口をさまざまな大きさ・形状にする必要がある。このため、多くの異なる機種のパチンコ遊技機を製造しようとすると、それらに対応させて多種類の樹脂製遊技板を製造することになる。例えば、特許文献１に示される樹脂製遊技板では、平板状の合成樹脂板にルーターによる切削加工によってそれぞれの開口を形成するようにしているので、多くの異なる機種に対応させることは容易であるものの、加工に多くの時間が掛かり生産効率が良くないという欠点がある。また、開口を形成した後に排出される樹脂材料は全て切削屑となって無駄になることから、材料の歩留まりが極めて悪い。特に、大型の可変表示装置や入賞装置を取り付けるため大きな開口を必要とする樹脂製遊技板を製造する際には、多量の切削屑が排出されるので、これを廃材として処分するのに費用が嵩むばかりか、資源の無駄になるという欠点が有る。
【０００５】
これに対し、前記欠点を解決する方法として射出成形により樹脂製遊技板を製造することが考えられるが、多くの異なる機種に対応させてそれぞれ金型を製作し、これらによって多種類の樹脂製遊技板を成形しようとすると、生産効率は良いものの、多種類の金型を必要とすることから、金型の製作コストが著しく高くなるという欠点が有る。
【０００６】
前記両者に生ずるそれぞれの欠点に鑑み、特許文献２のように射出成形により樹脂製遊技板にあらかじめ盤面部品を取り付けるための開口を形成しておき、次にパチンコ遊技機の機種に応じて開口の必要個所を切削加工して拡張するようにした樹脂製遊技板が提案されている。
【先行技術文献】
【特許文献】
【０００７】
【特許文献１】特許第３７２０８２９号公報（第３−１１頁、図４）
【特許文献２】特開２０１１−９８１５５号公報（第３−５頁、図５、図６）
【発明の概要】
【発明が解決しようとする課題】
【０００８】
前記特許文献２に係る樹脂製遊技板にあっては、多くの機種に対して金型の共通化を図ることで金型の製作コストをかなり削減でき、しかも、開口における切削すべき部分が少なくなって材料の歩留まりが良くなり、資源の無駄も少なくなるというものである。しかしながら、急きょ増産等の生産計画の変更が生じた場合は、射出成形後に再度切削加工を必要とすることから、加工時間が掛かることは否めず対応が著しく困難になるという改良すべき課題が残る。
【０００９】
そこで、本発明は前記改良すべき点に鑑みてなされたもので、多くの異なる機種に対応して金型の共通化が図られるばかりか、急きょ増産等の生産計画の変更が生じた場合も、容易に対応でき生産効率が落ちることのないようにした弾球遊技機の樹脂製遊技板を提供することを目的とするものである。
【課題を解決するための手段】
【００１０】
かかる目的を達成するため、本発明に係る弾球遊技機の樹脂製遊技板は、射出成形により遊技部の所定位置に可変表示装置や一般入賞口等の盤面部品を取り付けるための開口が形成され、異なる機種間における同じ位置の開口であってそれら開口に取り付けられる盤面部品のいずれもが取り付け可能な大きさの開口をそれら異なる機種間で共通する基準開口として形成するようにした遊技板本体と、前記基準開口に該基準開口の一部を塞ぐようにして取り付けられ、前記異なる機種間における各盤面部品を取り付けるに必要な形状の各種の補助板と、を有することを特徴とする。
【００１１】
この際、前記基準開口の一部を塞ぐようにして該基準開口に前記補助板を取り付けることにより複数個の開口が形成され、これら開口にそれぞれ盤面部品が取り付けられるようにすることが好ましい。
【００１２】
また、前記各機種における盤面部品の取付フランジ部に複数の取付孔を開設すると共に前記遊技板本体の表面であって前記基準開口の外周部に該各取付孔に対応して複数の螺子孔を開設し、これら取付孔と螺子孔とはいずれも異なる機種間で共通した位置に設けられるようにすることが好ましい。
【００１３】
更に、前記各機種における盤面部品の取付フランジ部の裏面に複数の位置決めボスを突設すると共に前記遊技板本体の表面であって前記基準開口の外周部に該各位置決めボスが嵌合する位置決め孔を開設し、これら位置決めボスと位置決め孔とはいずれも異なる機種間で共通した位置に設けられるようにすることが好ましい。
【発明の効果】
【００１４】
本発明にあっては、射出成形により遊技部の所定位置に可変表示装置や一般入賞口等の盤面部品を取り付けるための開口が形成され、異なる機種間における同じ位置の開口であってそれら開口に取り付けられる盤面部品のいずれもが取り付け可能な大きさの開口をそれら異なる機種間で共通する基準開口として形成するようにした遊技板本体と、基準開口に該基準開口の一部を塞ぐようにして取り付けられ、異なる機種間における各盤面部品を取り付けるに必要な形状の各種の補助板と、を有する。これにより、多くの異なる機種間で遊技板本体が共通化できて、多くの機種の遊技板本体に、必要な場合は補助板を使用することにより、大小関係なく盤面部品がそのまま取り付けられることになる。よって、従来の如く機種毎の盤面部品に対応させて遊技板本体の開口の内周面における必要個所をルーター加工機により切削加工する必要もなく、急きょ増産等の生産計画に変更が生じた場合にも、迅速に対応できるという効果を奏する。
【００１５】
この際、基準開口の一部を塞ぐようにして該基準開口に補助板を取り付けることにより複数個の開口が形成され、これら開口にそれぞれ盤面部品が取り付けられるようにすれば、開口が簡単に形成され遊技板本体が迅速に製造できる。
【００１６】
更に、各機種における盤面部品の取付フランジ部に開設される複数の取付孔と遊技板本体の表面であって基準開口の外周部に開設される複数の螺子孔、及び各機種における盤面部品の取付フランジ部の裏面に突設される複数の位置決めボスと遊技板本体の表面であって基準開口の外周部に開設される位置決め孔、をいずれも異なる機種間で共通した位置に設けるようにすれば、異なる機種間での共通化が高められ組み付け時の生産性を更に向上させられる。
【図面の簡単な説明】
【００１７】
【図１】本発明が適用される樹脂製遊技板の正面図。
【図２】可変表示装置を分解して示す遊技板本体の表から見た斜視図。
【図３】補助板を分解して示す遊技板本体の裏から見た斜視図。
【図４】補助板を取り付けた状態の遊技板本体の平面断面図。
【図５】可変表示装置を取り付けた状態の遊技板本体の平面断面図。
【図６】他の補助板を取り付けた遊技板本体の正面図。
【図７】他の補助板を取り付けた樹脂製遊技板の正面図。
【図８】補助板を取り付けない遊技板本体の正面図。
【図９】補助板を取り付けない樹脂製遊技板の正面図。
【発明を実施するための形態】
【００１８】
以下、本発明に係る弾球遊技機の樹脂製遊技板の最良の実施の形態を図面に基づき詳しく説明する。本発明は、パチンコ遊技機、アレンジボール遊技機、雀球遊技機といった弾球遊技機に適用されるが、この内、本発明はパチンコ遊技機に適用される場合について説明する。図１は、本発明が適用される樹脂製遊技板の正面図である。
【００１９】
樹脂製遊技板Ａ１は、図示しないパチンコ遊技機の本体枠に装着され、その前面を覆う透明板保持枠の窓開口を通して前側から視認できるようになっている。先に、樹脂製遊技板Ａ１について説明する。
【００２０】
樹脂製遊技板Ａ１は、やや縦長の方形状の遊技板本体１を有し、その前面に外側レール２ａと内側レール２ｂとが渦巻き状に敷設され、該外・内側レール２ａ，２ｂに囲われるようにして遊技部ａが形成されている。該遊技部ａには、その中央に盤面部品（盤面部品とは、「樹脂製遊技板の遊技部に装着される各種部品や装置」をいう。）である可変表示装置３が配置されている。該可変表示装置３は樹脂製遊技板Ａ１の表面に当接して固定される取付フランジ部４が外周縁に周設されると共に、該取付フランジ部４に囲まれるようにして透口５が形成され、その後方に表示器６が配置されている。
【００２１】
また、前記可変表示装置３における表示器６の前側に、中央部を低くした棚状のステージ７が形成されている。これは、可変表示装置３の内側へ入った遊技球をステージ７に導き、該ステージ７上面をその上面に沿って左右方向に転動させるためである。そして、ステージ７上面を左右方向に転動する遊技球は次第に減衰して中央部から落下する。落下した遊技球は、その下方に位置して後記する始動入賞口９に入賞する機会が多くなる。可変表示装置３の外周縁には、前記ステージ７と連なり遊技部ａを流下する遊技球が入る導入口８が設けられ、該導入口８に入った遊技球はステージ７に導かれることになる。
【００２２】
可変表示装置３の下方であって遊技部ａに、始動入賞口９とその真下に近接して位置し一対の可動翼片１０ａ，１０ａを遊技球が入賞し得ない起立位置と遊技球が入賞可能な逆ハの字状に開く傾動位置とに変換する可変始動入賞口１０が設けられる。また、その下方に、開閉扉１１ａが前側に回動し一度に多くの遊技球が入賞し得る大入賞口１１が配設されている。可変表示装置３の一側であって遊技部ａに、遊技球が通過することにより該遊技球を検出する通過チャッカー１２が配置され、遊技部ａの下側であって内側レール２ｂの内側に中央の大入賞口１１を挟んでその両側に位置して複数の一般入賞口１３が設けられている。また、内側レール２ｂの最下部に、遊技部ａを流下するもいずれにも入賞しなかったアウト球を遊技部ａの外側へ排出させるためのアウト球口１４が開設されている。更に、遊技部ａの所定の位置には、流下する遊技球の方向を変化させる障害釘１５や風車１６が配設されている。
【００２３】
そこで、例えば図示しない打球発射位置から遊技部ａに打ち込まれた遊技球が始動入賞口９に入賞すると、可変表示装置３における表示器６の図柄が変動を繰り返し、所定時間が経過した後に停止する。同様に、通過チャッカー１２を遊技球が通過すると、該遊技球を検知して遊技者には分からないところで抽選が行なわれ、それに当たると前記可変始動入賞口１０の一対の可動翼片１０ａ，１０ａが予め決められた時間の間開き、遊技球を入賞し得るようにしている。このようにして、始動入賞口９または可変始動入賞口１０に遊技球が入賞する毎に、前記表示器６の図柄が変動する。その図柄の変動が停止して例えば「７７７」に揃ったときは、遊技者に有利な特別遊技状態となる。この状態では、大入賞口１１の開閉扉１１ａが前側に回動して一定の時間または所定個数の遊技球が検出されるまでの間開放され、その後、開閉扉１１ａが閉まる。この動作を１ラウンドとし、一定条件を満たす限り最終的に１５ラウンドまで繰り返され、一度に多くの入賞球が得られるようになっている。
【００２４】
次に、前記樹脂製遊技板Ａ１について詳しく説明する。図２は可変表示装置を分解して示す遊技板本体の表から見た斜視図、図３は補助板を分解して示す遊技板本体の裏から見た斜視図である。本実施の形態では、遊技板本体１は、所定の成形用金型によりポリカーボネイト樹脂、ＡＢＳ樹脂、アクリロニトリル樹脂等の合成樹脂を射出成形することにより成形され、無色透明、有色透明、不透明のいずれであっても良い。そして、遊技板本体１は図２、図３に示すように長方形板状に一体成形され、１０ｍｍ程度の肉厚を有し表面１ａが平坦に形成されている。
【００２５】
前記遊技板本体１の表面１ａを正面から見てその中央部やや右に寄った位置に、大型の盤面部品である可変表示装置３を取り付けるための第一開口１７が形成される。該第一開口１７は正面から見てほぼ横に長い楕円状をなすと共に右側下縁が下方へ落ち込んでいる。また、第一開口１７の下方に始動入賞口９と可変始動入賞口１０とを一緒に取り付けるための円形状の第二開口１８が形成され、更にその下方に大入賞口１１を取り付けるための略Ｔ字形の第三開口１９が形成されている。更にまた、第一開口１７の一側に通過チャッカー１２を取り付けるための小さい横長楕円形状の第四開口２０が形成され、第四開口２０の下方に複数の一般入賞口１３を取り付けるための弓状の第五開口２１が形成されている。これら第一乃至第五開口１７乃至２１のうち、盤面部品である可変表示装置３が取り付けられる第一開口１７が一番大きい。
【００２６】
そこで、異なる機種間におけるいずれの盤面部品、例えば可変表示装置３を取付可能な大きさの開口である第一開口１７をそれら異なる機種間で共通する基準開口として形成している。よって、他の機種のパチンコ遊技機におけるいずれの可変表示装置３も取り付けられることになる。例えば異なる機種における基準開口である第一開口１７を重ね投影した場合の最も大きい外周輪郭が選ばれる。
【００２７】
本発明にあっては、前記第一開口１７に該第一開口１７の一部、すなわち図３に示すように右側下縁の落ち込み部ｂ、を一部塞ぐようにして所定形状の補助板２２が取り付けられるようになっている。該補助板２２は、遊技部ａの一部をなすものであり、遊技板本体１と同じ合成樹脂材から成形され、厚さも遊技板本体１（少なくとも遊技部ａ）と同じである。また、該補助板２２は、第一開口１７に対する異なる機種における可変表示装置３によって大きさや形が異なり、それぞれの可変表示装置３が第一開口１７に取り付けられる必要形状に形成されている。
【００２８】
図３、図４に示すように補助板２２の両側縁には複数の取付片２３が突設されると共に各取付片２３にビス挿通孔２４が開設されている。一方、遊技板本体１の裏面１ｂには、第一開口１７における落ち込み部ｂの外周部に前記各取付片２３に対応位置して各取付片２３が嵌る嵌合凹部５１が形成され、該各嵌合凹部５１にビス孔２５が設けられている。そして、補助板２２を遊技板本体１の裏側から第一開口１７の落ち込み部ｂに配置し、各嵌合凹部５１に各取付片２３を嵌め各ビス挿通孔２４を介して各ビス孔２５にビス２６を螺締めすることにより、補助板２２が取り付けられる。これら嵌合凹部５１と取付片２３とは、いずれも異なる機種間で共通した位置に設けられる。
【００２９】
補助板２２は、遊技板本体１とは異なる別個独立の金型により製作されるほか、遊技板本体１の金型で直接制作するようにしても良い。例えば、遊技板本体１を成形する金型の遊技板本体１の第一開口１７に位置する個所に補助板２２が成形されるようにし、遊技板本体１と補助板２２とを同時に成形するようにすれば、生産性を向上させることができる。また、補助板２２を遊技板本体１の裏側から取り付けるようにしたのは、遊技板本体１の表面１ａと補助板２２の表面２２ａとの間に段差ができ難く、綺麗に仕上げられるからである。ただ、支障がなければ補助板２２を遊技板本体１の前側から取り付けるようにしても良い。
【００３０】
前記第一開口１７は補助板２２を取り付けることにより、その上方の開口１７ａと下方の開口１７ｂとに分割される。上方の開口１７ａは当機種の可変表示装置３が取り付けられる。また、下方の開口１７ｂは前記遊技板本体１に開設され一般入賞口１３を取り付けるための第五開口２１と第二開口１８を挟んだ反対側にほぼ左右対称となるように形成されている。そして、この下方の開口１７ｂに一般入賞口１３が取り付けられる。
【００３１】
このようにして、遊技板本体１に補助板２２が取り付けられた後に、該補助板２２を含めて遊技板本体１の表面に障害釘１５や風車１６が植設され、続き第一開口１７における上・下方の開口１７ａ，１７ｂ、及び第二乃至第五開口１８乃至２１にそれぞれ前記可変表示装置３を始め各盤面部品が取り付けられることになる。
【００３２】
遊技板本体１の表面１ａにおける上方の開口１７ａの外周部２７であって所定位置に複数の螺子孔２８が設けられている。可変表示装置３における取付フランジ部４は、中央に開設された透口５の裏側の周縁に後方へ突出する環状枠部３０が形成されている。前記ステージ７はこの環状枠部３０の内底面に形成されることになる。そして、取付フランジ部４には前記各螺子孔２８に対応位置して取付孔３１が開設されている。これら螺子孔２８と取付孔３１とは、いずれも異なる機種間では共通した位置に設けられる。
【００３３】
同様に、上方の開口１７ａの外周部に複数の位置決め孔３２が設けられると共に、可変表示装置３の取付フランジ部４の裏面には前記各位置決め孔３２に嵌合する位置決めボス３３が突設されている。しかも、これら位置決め孔３２と位置決めボス３３も異なる機種間では共通した位置に設けられている。
【００３４】
一方、異なる機種間の各可変表示装置３は、その大きさが大小いろいろ有るが、いずれの可変表示装置３も基準開口としての上方の開口１７ａに取り付けられたとき、取付フランジ部４の外周輪郭が上方の開口１７ａの内周輪郭よりも大きく形成されている。
【００３５】
図３に示すように遊技板本体１の裏面１ｂには、その外周縁に沿って後方へ額縁状に突出する外縁リブ３４が一体に設けられている。また、遊技板本体１の四隅部には、貫通孔３５ａ〜３５ｄが設けられているが、このうち、三ヶ所の貫通孔３５ａ〜３５ｃは遊技板本体１をパチンコ遊技機内に組み付けるための位置合わせ用または遊技板本体１に障害釘１５を打ち込むための下穴加工工程において加工機に遊技板本体１を設置するための位置合わせ用として使用される。残りの一つの貫通孔３５ｄは、遊技部品で用いる配線通し用として使用される。３６は、外・内側レール２ａ，２ｂを取り付けるために遊技板本体１の所定の弧状線に沿って多数設けられた差込孔である。これら差込孔３６には、外・内側レール２ａ，２ｂの一側縁寄りに沿って適宜間隔で取着される固定ピン（図示せず。）が打ち込まれる。遊技板本体１の裏面１ｂであって各差込孔３６が設けられた位置に、円柱形ボス状に突出する固植用部３７が設けられ、これらの中心に前記差込孔３６が貫通状に形成されている。各固植用部３７の先端面には、横断状に前記差込孔３６と連通する切り溝３８が形成されている。
【００３６】
通常、各種盤面部品が取り付けられる樹脂製遊技板Ａ１が組み立てられ完成する途中にあっては、第一乃至第五開口１７〜２１が形成された遊技板本体１の表面１ａに障害釘１５や風車１６を打ち込む工程がある。また、続いて外・内側レール２ａ，２ｂの一側寄りに取着された固定ピン（図示せず。）を表面１ａ側から各差込孔３６に打ち込んで、外・内側レール２ａ，２ｂを遊技板本体１の表面１ａに敷設する工程がある。そして、これら障害釘１５、風車１６、外・内側レール２ａ，２ｂが取り付けられた遊技板本体１を次の工程に移動させるまで、表面１ａを上にした状態で一時多段に積み重ねておく場合がある。
【００３７】
このとき、上段の各固植用部３７先端の切り溝３８に下段の外・内レール２ａ，２ｂの上側縁を差し込む。これにより、下段の障害釘１５や風車１６の上端と上段の遊技板本体１の裏面１ｂとの間には、固植用部３７のほぼ長さ分の間隔が開き、下段の障害釘１５や風車１６が上段の遊技板本体１の裏面１ｂに当接して必要もなく曲がったり、これらによって上段に位置する遊技板本体１の裏面１ｂを傷付けるといったことがないようにしている。
【００３８】
各盤面部品は、障害釘１５、風車１６及び外・内側レール２ａ，２ｂが取り付けられた後に取り付けられることになるが、ここでは便宜上、第一開口１７に可変表示装置３を取り付ける方法を説明する。図５に示すように可変表示装置３は遊技板本体１の表面１ａに取着される取付フランジ部４と、遊技板本体１の裏面１ｂに取着される裏側ユニット枠３９とを有する。該裏側ユニット枠３９は、中央に前記取付フランジ部４の透口５と対応する支持開口４０が形成され、該支持開口４０に前記表示器６が取着されることになる。また、裏側ユニット枠３９には外周に取付片４１が周設され、適宜位置にビス挿通孔４２が設けられている。
【００３９】
そこで、遊技板本体１の表面１ａにおける第一開口１７の外周部２７に取付フランジ部４の裏面を当接させると共に、各位置決め孔３２に各位置決めボス３３を嵌合する。図２における遊技板本体１の表面１ａ上の二点差線による形状が取付フランジ部４の外周輪郭の形状と一致し、その内側が表面１ａの外周部２７となる。このとき、各取付孔３１と各螺子孔２８とが一致して連通する。そこで、各取付孔３１を介して各螺子孔２８にそれぞれ螺子５０を螺締する。これにより、取付フランジ部４がずれることなくしっかりと固定される。
【００４０】
また、遊技板本体１の裏面１ｂには表示器６が取り付けられた裏側ユニット枠３９を当接させ、取付片４１の各ビス挿通孔４２と遊技板本体１に予め設けられたビス孔４３とを合致させ、裏側から各ビス挿通孔４２を介してビス孔４３にビス４４を螺締する。これにより、裏側ユニット枠３９がしっかりと固定される。この裏側ユニット枠３９には、前記表示器６の他に例えば装飾用の可動物を設けるようにしても良い。
【００４１】
前記遊技板本体１の表面１ａであって第一開口１７の外周部２７に設けられる位置決め孔３２と、該第一開口１７に取り付けられる可変表示装置３における取付フランジ部４の裏面に設けられ該位置決め孔３２に嵌合する位置決めボス３３と、はいずれも異なる機種間で共通した位置に設けられている。よって、異なる機種間の遊技板本体１に共通性が図られ、異なる機種間の遊技板本体１であっても量産し易い。
【００４２】
前記遊技板本体１と補助板２２とは同じ厚さであって両前面が共に面一となるが、それら境界線は前側から視認でき見栄えが悪い。よって、補助板２２を恰も遊技板本体１の一部であると見せるべく、その境界線を隠すための装飾隠蔽部を設けるようにしている。例えば、図７に示すように補助板４５に取り付けられた入賞口４８の取付板４８ａの周囲四隅部から前記境界線を隠すように装飾隠蔽部としての隠蔽板部２９を延設するようにしても良い。または、図示は省略するが境界線を隠すように樹脂材を設けるか印刷を施すようにしても良い。
【００４３】
補助板２２の前面には、例えば障害釘１５や風車１６が植設されるが、本来、補助板２２は遊技板本体１と同一であるので、遊技板本体１に補助板２２を取り付けた後に補助板２２を含め遊技板本体１の前面全体に障害釘１５や風車１６が一緒に植設される。
【００４４】
図６は他の補助板を取り付けた遊技板本体の正面図、図７は他の補助板を取り付けた樹脂製遊技板の正面図である。なお、他の補助板を取り付けた遊技板本体と樹脂製遊技板とは前記遊技板本体と樹脂製遊技板と構成上似ているので、同一部位は同一番号を付して詳しい説明は省略する。
【００４５】
この遊技板本体１−２は、補助板４５に開口４６が開設されている。また、第一開口１７は、前記補助板４５により分けられ、その上方に開口１７ｃが形成されると共に下方に開口１７ｄが形成されている。該補助板４５の取付方法は前記方法と同じである。
【００４６】
この場合は、図７に示すように樹脂製遊技板Ａ２における開口１７ｃに可変表示装置３ａが取り付けられる。また、補助板４５の開口４６に、開閉扉４７が前後に回動して開閉し遊技球を受け入れ入賞させる入賞口４８が取り付けられ、補助板４５の下方の開口１７ｄに一般入賞口１３が取り付けられる。このようにすることにより、遊技部ａのレイアウトの変更が自由に行なえることになる。
【００４７】
図８，９は補助板２２，４５を使用しない場合である。この場合は、図８に示すように遊技板本体１−３の第一開口１７に補助板２２が設けられていない。また、図９に示すように樹脂製遊技板Ａ３の向かって左側のみ一般入賞口１３が有り、右側にはない。そして、第一開口１７に可変表示装置３ｂが取り付けられる。この可変表示装置３ｂは、正面から見て右側に大きく装飾部４９が形成されている。このように、機種によって補助板２２，４５を使ったり使わなかったりする。また、同じ機種でも盤面部品が異なる場合は、大きさ・形状の異なった補助板２２，４５が使用される。
【００４８】
以上のように、本発明にあっては、多くの異なる機種間で遊技板本体１が共通化できて、多くの機種の遊技板本体１に、必要な場合は補助板２２，４５を使用することにより、大小関係なく盤面部品がそのまま取り付けられることになる。よって、従来の如く機種毎の盤面部品に対応させて遊技板本体１の開口の内周面における必要個所をルーター加工機により切削加工する必要もなく、急きょ増産等の生産計画に変更が生じた場合にも、迅速に対応できる。
【符号の説明】
【００４９】
１              遊技板本体
１−２          遊技板本体
３              盤面部品（可変表示装置）
３ａ            盤面部品（可変表示装置）
３ｂ            盤面部品（可変表示装置）
４              取付フランジ部
９              盤面部品（始動入賞口）
１０            盤面部品（可変始動入賞口）
１１            盤面部品（大入賞口）
１２            盤面部品（通過チャッカー）
１３            盤面部品（一般入賞口）
１７            基準開口（第一開口）
１７ａ          開口
１７ｂ          開口
１７ｃ          開口
１７ｄ          開口
２２            補助板
２７            外周部
２８            螺子孔
３１            取付孔
３２            位置決め孔
３３            位置決めボス
４５            補助板
４６            開口
Ａ１            樹脂製遊技板
Ａ２            樹脂製遊技板
Ａ３            樹脂製遊技板
ａ              遊技部
【図１】
2013099384.tif 000003
【図２】
2013099384.tif 000004
【図３】
2013099384.tif 000005
【図４】
2013099384.tif 000006
【図５】
2013099384.tif 000007
【図６】
2013099384.tif 000008
【図７】
2013099384.tif 000009
【図８】
2013099384.tif 000010
【図９】
2013099384.tif 000011